(57)【要約】【課題】裏面が装飾された外装パネルを有する携帯端末装置において、内パネルにより内蔵部品の押さえが可能であり、且つ、外装パネルと内パネルとの隙間に起因する所定の欠点を回避する。【解決手段】この携帯端末装置は、開口を有する筐体（３０）と、裏面に装飾を有し上記開口に固定される外装パネル（１０）と、上記開口の内側に固定される内パネル（２０）と、内パネルに設けられ外装パネルの裏面に当るリブ（Ｒ１〜Ｒ６）と、を具備する構成を採る。【選択図】図１
2014050082.tif 000002
【特許請求の範囲】
【請求項１】
開口を有する筐体と、
裏面に装飾を有し前記開口に固定される外装パネルと、
前記開口の内側に固定される内パネルと、
前記内パネルに設けられ前記外装パネルの裏面に当るリブと、
を具備する携帯端末装置。
【請求項２】
前記筐体には、前記外装パネルを透過させて光を出力する光出力部品が収容され、
前記リブは、前記光出力部品を囲うように設けられている、
請求項１記載の携帯端末装置。
【請求項３】
前記リブは、前記外装パネルの幅の１／１０の長さ以上、前記外装パネルの端から中寄りに設けられている、
請求項１記載の携帯端末装置。
【請求項４】
前記リブは、前記外装パネルを縦又は横に二分割する中心線を挟んだ両側に設けられている、
請求項１記載の携帯端末装置。
【請求項５】
前記筐体は、前記開口の周囲に座面を有し、
前記外装パネルの周縁部が前記座面に接着されて前記外装パネルが固定されている、
請求項１記載の携帯端末装置。
【請求項６】
前記外装パネルの表面を上方、裏面を下方として、
前記内パネルの上面は前記座面より低く配置され、
前記リブの上端は前記座面とほぼ同じ高さに配置されている、
請求項５記載の携帯端末装置。
【請求項７】
前記外装パネルの前記リブが当る箇所には両面接着テープが貼られている、
請求項１記載の携帯端末装置。
【請求項８】
開口を有する筐体と、
裏面に装飾を有し前記開口に固定される外装パネルと、
前記開口の内側に固定される内パネルと、
を具備し、
前記外装パネルの表面を上方、裏面を下方として、
前記内パネルの上面は前記外装パネルの裏面より低く配置され、
前記外装パネルの裏面の一部と前記内パネルの上面の一部とが接着部材により接着されている、
携帯端末装置。
【発明の詳細な説明】
【技術分野】
【０００１】
本発明は、外装パネルを有する携帯端末装置に関する。
【背景技術】
【０００２】
以前より、外装カバーが筐体の開口を覆う構造を有する携帯端末装置がある。そして、外装カバーの裏面には、筐体に収容される内蔵部品を押さえるリブ等が設けられることがある。リブ等により、例えば、回路基板の配線コネクタが押えられることで、衝撃等で配線コネクタが抜けてしまうことを防止できる。また、リブ等により、フレキシブルケーブルが押えられることで、装置の振動がフレキシブルケーブルに伝わってびびり音が発生するということを防止できる。また、リブ等により、例えば、回路基板と別の電気部品とを電気的に接続するバネ接点の近傍が押えられることで、バネ接点の接圧を確保することができる。
【０００３】
また、本願発明に関連する技術として、特許文献１には、装置に内蔵される電気回路部品とリアケースとの間に防水板を挟み込む構造を有する携帯電話が開示されている。
【先行技術文献】
【特許文献】
【０００４】
【特許文献１】特開２００９−００５３２６号公報
【発明の概要】
【発明が解決しようとする課題】
【０００５】
本発明者らは、外装カバーを透明又は半透明のパネルから構成し（外装パネルと呼ぶ）、外装パネルの裏面に装飾（装飾印刷、塗装、インモールド加工など）を施すことで、見た目に美しい外装を実現することを検討している。
【０００６】
しかしながら、裏面に装飾が加えられた外装パネルでは、その裏面にリブ等の内蔵部品を押える構造を設けることができないという課題が生じる。
【０００７】
一方、この課題に対し、内蔵部品を押える別のパネル（内パネルと呼ぶ）を、外装パネルの裏側に設けて対応することが検討できる。
【０００８】
しかしながら、外装パネルの裏側に内パネルを配置した構成では、公差を考慮して、外装パネルと内パネルとの間のクリアランスをやや大きめに確保する必要がある。クリアランスが全く無いと、外装パネルが裏側から内パネルに押されて、外装パネルの固定強度が低下してしまう。特に、外装パネルが両面接着テープ等により筐体に接着されて止水性を確保している構成では、止水に必要な接着圧を接着部に与えられなくなる。
【０００９】
よって、この構成では、クリアランスが大きくなる分、装置の厚みが増すという課題が生じる。
【００１０】
また、外装パネルと内パネルとのクリアランスが小さい個体では、振動又は音声出力によって外装パネルと内パネルとが部分的に接触してビビリ音が生じるという課題がある。
【００１１】
さらに、外装パネルと内パネルとの間の全面に隙間があると、この間に塵または埃等が侵入しやすくなるという課題が生じる。特に、外装パネルの裏側から光を透過させて出力する箇所がある場合、その箇所まで埃が侵入すると埃が外部からはっきりと見えてしまうという課題が発生する。
【００１２】
本発明の目的は、裏面が装飾された外装パネルを有する携帯端末装置において、内パネルにより内蔵部品の押さえが可能であり、且つ、外装パネルと内パネルとの隙間に起因する幾つかの欠点を回避することである。
【課題を解決するための手段】
【００１３】
本発明の一態様に係る携帯端末装置は、開口を有する筐体と、裏面に装飾を有し前記開口に固定される外装パネルと、前記開口の内側に固定される内パネルと、前記内パネルに設けられ前記外装パネルの裏面に当るリブと、を具備する構成を採る。
【発明の効果】
【００１４】
本発明によれば、外装パネルにより見た目に美しい構成を実現でき、さらに、内パネルにより内蔵部品の押さえが可能であり、且つ、内パネルのリブにより、外装パネルと内パネルとの隙間に起因する欠点を回避することができる。
【図面の簡単な説明】
【００１５】
【図１】本発明の実施の形態の携帯端末装置を示す分解斜視図
【図２】携帯端末装置から外装パネルおよび内パネルを外した状態を示す平面図
【図３】内パネルの正面を示す平面図
【図４】内パネルの裏側を示す斜視図
【図５】外装パネルの裏面を示す平面図
【図６】内パネルのリブの高さを説明する概念図
【図７】外装パネルおよび内パネルの配置を説明する断面図
【図８】本発明の実施の形態の変形例１の内パネルの正面を示す平面図
【図９】本発明の実施の形態の変形例１の外装パネルの裏面を示す平面図
【発明を実施するための形態】
【００１６】
以下、本発明の各実施の形態について図面を参照して詳細に説明する。
【００１７】
図１は、本発明の実施の形態の携帯端末装置を示す分解斜視図である。図２は、携帯端末装置から外装パネルおよび内パネルを外した状態を示す平面図である。図３は、内パネルの正面を示す平面図である。図４は、内パネルの裏側を示す斜視図である。
【００１８】
本発明の実施の形態の携帯端末装置は、図１に示すように、第１構成部１と、第２構成部２と、第１構成部１および第２構成部２を回転自在に連結するヒンジ３とを有する折畳み型の携帯端末装置である。
【００１９】
第１構成部１は、主に、表示部および副表示部４１を有する構成である。表示部は、携帯端末装置を折畳んだ状態で、第２構成部２と対向する面に設けられている。副表示部４１は、携帯端末装置を折畳んだ状態で、外部から見える位置に設けられている。
【００２０】
第２構成部２は、主に、複数の操作キーと、電池パックと、メインの電子基板とを備えている。
【００２１】
以下、第１構成部１について詳細に説明する。
【００２２】
第１構成部１は、図１に示すように、筐体３０と、内蔵部品４０と、内パネル２０と、外装パネル１０とを備えている。
【００２３】
筐体３０は、一方に外装パネル１０により塞がれる開口３１が設けられ、内部に内蔵部品４０を収容している。なお、筐体３０の表示部の側にも開口が設けられ、この開口が表示パネルにより塞がれている。
【００２４】
筐体３０には、開口３１の周囲に、外装パネル１０が接着される座面３２が設けられている。また、筐体３０には、開口３１の内側に、内パネル２０を固定するための被係止部３４が設けられている。
【００２５】
内蔵部品４０は（図１、図２を参照）、特に制限されるものではないが、電子基板４２、音声出力するレシーバ４３、副表示部４１、照明４４、図示略のアンテナ、および、図示略の表示部などが含まれる。このうち、副表示部４１と照明４４とが光出力部品に相当する。電子基板４２には、電子部品との間で信号を伝送するフレキシブルケーブル（ＦＰＣ：Flexible Printed Circuits）ｆ、第２構成部２との間を結ぶフレキシブルケーブルｆ、および、ケーブルを着脱可能に接続するコネクタｃが設けられている。また、電子基板４２には、例えば、アンテナ等と電気的に接続するバネ接点が設けられていてもよい。
【００２６】
外装パネル１０は（図１を参照）、平板状の外装部品であり、ガラス又はアクリルなど透明または半透明の部材により構成される。外装パネル１０の裏面（図１の下方の面）には、装飾印刷、塗装、および／または、インモールド加工が施されており、これらの装飾が外装パネル１０の表面側から見えるように構成されている。
【００２７】
外装パネル１０における副表示部４１および照明４４に対向する箇所は、透明度が高くなっている。
【００２８】
内パネル２０は（図１、図３、図４を参照）、筐体３０の開口３１の内側に固定されて、内蔵部品４０を覆うパネルである。内パネル２０は、例えば、樹脂から構成される。
【００２９】
内パネル２０の裏側には、図４に示すように、内蔵部品４０の各部を押さえる構造が設けられている。この押さえ用の構造には、例えば、電子基板４２の接圧を要する箇所（バネ接点の近傍）を押さえる突起２５、フレキシブルケーブルｆの弛みを押さえるリブ２６、副表示部４１の縁を押さえる枠２７、レシーバ４３等の部品を押さえるリブ２８などが含まれる。
【００３０】
また、内パネル２０の縁部には、筐体３０の被係止部３４と係合する係止部（例えば係止爪）２２が設けられている。
【００３１】
また、内パネル２０には、副表示部４１と、照明４４とを露出する貫通孔ｈ１，ｈ２が設けられている。内パネル２０には、貫通孔ｈ１、ｈ２の代わりに透明窓が設けられていてもよい。
【００３２】
このような構成により、内パネル２０は、筐体３０の開口３１の内側に固定される。そして、内パネル２０の裏側の押さえ構造により、筐体３０に収容された内蔵部品４０が適宜押さえられる。
【００３３】
内パネル２０の上面は、図１および図３に示すように、平面に低いリブＲ１〜Ｒ６が形成された構成である。後に詳述するが、リブＲ１〜Ｒ６以外の平面部分は、外装パネル１０の裏面と離間して配置され、リブＲ１〜Ｒ６は、外装パネル１０の裏面に両面接着テープＸ（図５を参照）を介して当接および接着される。
【００３４】
リブＲ１〜Ｒ６には、縦方向に伸びるリブＲ１、横方向に伸びるリブＲ２，Ｒ３、矩形状のリブ（膨出部）Ｒ４、貫通孔ｈ２を囲うリブＲ５、貫通孔ｈ１を囲うリブＲ６が含まれる。ここでは、外装パネル１０の長辺方向を縦方向、短辺方向を横方向と呼ぶ。リブＲ１，Ｒ２，Ｒ４〜Ｒ６は、内パネル２０の中心を囲むように連なって形成されている。
【００３５】
リブＲ１〜Ｒ６は、全て同じ高さに形成されている。なお、外装パネル１０の裏側に凹凸がある場合には、この凹凸に合わせてリブＲ１〜Ｒ６の高さに差異を与えてもよい。
【００３６】
リブＲ１〜Ｒ６は、所定長さ以上、外装パネル１０の端から中寄りに配置されている。
【００３７】
具体的には、図３に示すように、外装パネル１０の長辺に近いリブＲ４、Ｒ６と外装パネル１０の周縁との距離Ｌ１，Ｌ２は、外装パネル１０の横幅の１／１０以上になるよう設計されている。また、外装パネル１０の短辺に近いリブＲ２、Ｒ３と外装パネル１０の周縁との距離Ｌ３，Ｌ４は、外装パネル１０の縦幅の１／１０以上になるように設計されている。
【００３８】
このように、リブＲ１〜Ｒ６を外装パネル１０の端から中寄りに設けることで、リブＲ１〜Ｒ６が外装パネル１０を裏側から押した場合でも、外装パネル１０と筐体３０との接合部（座面３２）にかかる力を弱くすることができる。なお、この作用をより高めるためには、リブＲ１〜Ｒ６は、外装パネル１０の幅の１／５の長さ以上、外装パネル１０の端から中寄りに配置するとよい。
【００３９】
図５は、外装パネル１０の裏面を示す平面図である。
【００４０】
外装パネル１０の裏面には、両面接着テープＸ（図５にハッチングで示す）が貼られている。両面接着テープＸは、内パネル２０のリブＲ１〜Ｒ６とほぼ重なる範囲に貼られている。また、両面接着テープＸは、外装パネル１０の周縁の全周、筐体３０の座面３２と重なる範囲に貼られている。なお、両面接着テープＸは、リブＲ１〜Ｒ６の一部と重ならないように設けられていても良い。
【００４１】
両面接着テープＸは、僅かな厚みと、厚み方向に僅かに変形して戻る弾性とを有している。
【００４２】
図６は、内パネルのリブの高さを説明する概念図である。
【００４３】
リブＲ１〜Ｒ６は、図６に示すように、公差ｔにより最も低い配置となったときに、筐体３０の座面３２と同じ高さになるように設計される。
【００４４】
＜内パネルのリブの作用＞
図７は、外装パネルおよび内パネルの配置を説明する断面図である。
【００４５】
外装パネル１０は、筐体３０の座面３２に両面接着テープＸにより接着されて固定される。この接着により、外装パネル１０と筐体３０との接合部の止水作用が得られる。
【００４６】
外装パネル１０が固定された状態で、リブＲ１〜Ｒ６は、図７に示すように、両面接着テープＸを介して外装パネル１０の裏面に当接する。しかし、このリブＲ１〜Ｒ６の当接は、パネル面の僅かな範囲でしか行われない。よって、このリブＲ１〜Ｒ６の当接により、外装パネル１０に大きな力が掛かることはなく、外装パネル１０と座面３２との接合部が剥がれる、又は、その接着力が低下するということがない。
【００４７】
また、内パネル２０は、外装パネル１０の裏面に両面接着テープを介してリブＲ１〜Ｒ６を積極的に当接するので、振動または音声出力が内パネル２０に伝わってビビリ音が発生するという不都合が防止される。
【００４８】
また、本実施の形態の携帯端末装置では、内パネル２０が外装パネル１０に積極的に当接する構成なので、リブが無く、内パネル２０と外装パネル１０との間に必ずクリアランスが必要な構成と比較して、装置を薄くすることができる。なお、内パネル２０は、リブＲ１〜Ｒ６を有する分、平面部分を薄く構成しても、一定以上の強度を確保することができる。
【００４９】
ところで、仮に、外装パネル１０と内パネル２０とを両面接着テープ等により広い面で接着する構成を採用した場合には、外装パネル１０に及ぼされる圧力の変化により、外装パネル１０と内パネル２０との接着部位が剥離および接着を繰り返す。そして、この剥離と接着の繰り返しにより異音（粘着音）が発生するという課題が生じる。しかしながら、本実施の形態の携帯端末装置では、外装パネル１０と内パネル２０との接着は、幅が狭く面積的に小さいリブＲ１〜Ｒ６の部分だけで行われている。よって、このような異音の発生を回避できる。
【００５０】
また、本実施の形態の携帯端末装置では、照明４４および副表示部４１に対向する部位が、リブＲ５，Ｒ６で囲われている。よって、この部位に埃が侵入して、外側から埃が見えてしまうという不都合を回避できる。
【００５１】
（変形例１）
図８は、本発明の実施の形態の変形例１の内パネルの正面を示す平面図である。図９は、本発明の実施の形態の変形例１の外装パネルの裏面を示す平面図である。
【００５２】
本実施の形態の変形例１では、内パネル２０のリブＲ１〜Ｒ６の替わりとして、内パネル２０Ａと外装パネル１０との間に、リブＲ１〜Ｒ６と同様の位置に幅の狭い両面接着テープ（接着部材に相当）Ｘ２を設けている。
【００５３】
外装パネル１０の裏面には、周縁部において、筐体３０の座面３２に接着するための両面接着テープＸ３が貼られている。
【００５４】
これらの両面接着テープＸ２、Ｘ３としては、同種のものが採用されてもよいし、例えば厚みが異なるなど、異種のものが採用されてもよい。
【００５５】
内パネル２０Ａの上面は、両面接着テープＸ２を介して外装パネル１０の裏面に当る一方、両面接着テープＸ２が無ければ外装パネル１０の裏面に当らない高さに配置されるよう設計される。厚みの大きな両面接着テープＸ２が採用された場合には、内パネル２０Ａの上面は、両面接着テープＸ２、Ｘ３の厚みの差だけ、筐体３０の座面３２より低くなるように設計される。
【００５６】
この構成により、外装パネル１０が固定された状態で、内パネル２０Ａは、両面接着テープＸ２を介して外装パネル１０の裏面に当接および接着される。
【００５７】
この変形例１の携帯端末装置によれば、外装パネル１０に及ぼされる圧力の変化により、外装パネル１０と内パネル２０Ａとの接着部位が剥離および接着を繰り返すことで異音（粘着音）が発生しえるという課題がある。
【００５８】
しかしながら、この変形例１の携帯端末装置においても、内パネル２０Ａは外装パネル１０に両面接着テープＸ２を介して積極的に当接している。よって、内パネル２０Ａの振動に起因するビビリ音の発生、副表示部４１または照明４４の箇所への埃の侵入といった不都合を回避することができる。
【００５９】
以上、本発明の各実施の形態について説明した。
【００６０】
なお、上記実施の形態では、折畳み型の携帯端末装置に本発明を適用した構成を例にとって説明した。しかしながら、折畳み型である必要はなく、所謂スマートフォンなど筐体が単一の携帯端末装置に本発明を適用してもよい。
【００６１】
また、上記実施の形態では、外装パネルとして、筐体の一方の面の略全域を占める構成を例にとって説明した。しかしながら、外装パネルは、筐体の一面の一部範囲のみ（例えば電池蓋を除く半分の範囲など）を占める構成としてもよい。
【産業上の利用可能性】
【００６２】
本発明は、携帯電話機、携帯型情報機器、携帯音楽プレーヤなどの携帯端末装置に利用可能である。
【符号の説明】
【００６３】
１０  外装パネル
２０，２０Ａ  内パネル
３０  筐体
３１  開口
３２  座面
４０  内蔵部品
４１  副表示部
４４  照明
Ｒ１〜Ｒ６  リブ
Ｘ，Ｘ２，Ｘ３  両面接着テープ
【図１】
2014050082.tif 000003
【図２】
2014050082.tif 000004
【図３】
2014050082.tif 000005
【図４】
2014050082.tif 000006
【図５】
2014050082.tif 000007
【図６】
2014050082.tif 000008
【図７】
2014050082.tif 000009
【図８】
2014050082.tif 000010
【図９】
2014050082.tif 000011